(57)【特許請求の範囲】
【請求項１】
所定の情報をラベルに印字するラベルプリンタであって、加速度センサと、該加速度センサからの出力信号により、衝撃や振動の度合いを検出する検出手段と、その度合いを保持する記憶手段と、該検出手段が所定の値以上の衝撃や振動を検出したときに、その旨を報知する報知手段と、を備え、前記所定の値が前記記憶手段に保持された履歴情報の最大値であることを特徴とするラベルプリンタ。
【請求項２】
前記検出手段が所定の値以上の衝撃や振動を検出したときに、ラベルの発行を停止させる停止手段をさらに備えたことを特徴とする請求項１に記載のラベルプリンタ。
【請求項３】
電気回路の動作が正常か否かを検証する検証手段を備え、前記検出手段が所定の値以上の衝撃や振動を検出したときに、前記検証手段が作動することを特徴とする請求項１または請求項２に記載のラベルプリンタ。
【請求項４】
前記加速度センサが、回路基板に実装可能であることを特徴とする請求項１から請求項３のいずれかに記載のラベルプリンタ。
【請求項５】
前記加速度センサが、ＭＥＭＳ加速度センサであることを特徴とする請求項４に記載のラベルプリンタ。
【請求項６】
前記ラベルプリンタが携帯型ラベルプリンタであることを特徴とする請求項１から請求項５のいずれかに記載のラベルプリンタ。
【請求項７】
所定の情報をラベルに印字するラベルプリンタにおける衝撃や振動による異常検出方法であって、加速度センサにより加速度を検出する第１のステップと、該加速度を検出したときに、その日付と検出値とを記憶する第２のステップと、該検出値が記憶された履歴情報の最大値である場合に電気回路の動作を検証する第３のステップと、該電気回路の動作に異常がある場合にその旨を報知する第４のステップと、を備えたことを特徴とする異常検出方法。
【発明の詳細な説明】
【技術分野】
【０００１】
本発明は、加速度センサを備えたラベルプリンタおよび該ラベルプリンタにおける衝撃や振動による異常を検出する異常検出方法に関する。
【背景技術】
【０００２】
従来より、製造ラインに設置されるラベリングマシンに組み込んで用いられるラベルプリンタが知られている。また、操作者のズボンのベルト等を介して取り付けられ、ハンディターミナルから送信されたプリントデータを用紙に印字するような携帯型プリンタが知られている。
【０００３】
しかし、特に、インスタントフィルムを用いるようなプリンタでは、プリンタが落下した場合に、その衝撃によって、インスタントフィルムを収納する収容開口部の蓋が開いて、インスタントフィルムが外光にさらされて使用できなくなるといった問題があった。そのため、落下時の衝撃等によって蓋が開くことを防止する技術が開示されている（例えば、特許文献１参照。）。
【先行技術文献】
【特許文献】
【０００４】
【特許文献１】特開２００７−２１６５６５号公報
【発明の概要】
【発明が解決しようとする課題】
【０００５】
しかしながら、従来の技術では、落下時の衝撃等によって蓋が開くことを防止することは可能であっても、例えば、落下による衝撃で電気回路等が受けるダメージを把握するための手段がないという問題があった。
【０００６】
そこで、本発明は、上述の課題に鑑みてなされたものであり、加速度センサを設けることにより、落下による衝撃や振動の度合いを検出し、所定の値以上の衝撃や振動を検出したときに、その旨を報知するラベルプリンタおよび異常検出方法を提供することを目的とする。
【課題を解決するための手段】
【０００７】
本発明は、上記の課題を解決するために以下の事項を提案している。なお、理解を容易にするために、本発明の実施形態に対応する符号を付して説明するが、これに限定されるものではない。
【０００８】
（１）本発明は、所定の情報をラベルに印字するラベルプリンタであって、加速度センサ（例えば、図２の加速度センサ８０に相当）と、該加速度センサからの出力信号により、衝撃や振動の度合いを検出する検出手段（例えば、図２の落下検出部９０に相当）と、その度合いを保持する記憶手段と、該検出手段が所定の値以上の衝撃や振動を検出したときに、その旨を報知する報知手段（例えば、図２のモニタ７０に相当）と、を備え、前記所定の値が前記記憶手段に保持された履歴情報の最大値であることを特徴とするラベルプリンタを提案している。
【０００９】
この発明によれば、加速度センサからの出力信号により、衝撃や振動の度合いを検出し、所定の値以上の衝撃や振動を検出したときに、その旨を報知する。したがって、従来は認知することができなかった所定の値以上の衝撃や振動がラベルプリンタに加わったことを的確に認知することができる。
【００１０】
（２）本発明は、（１）のラベルプリンタについて、前記検出手段が所定の値以上の衝撃や振動を検出したときに、ラベルの発行を停止させる停止手段をさらに備えたことを特徴とするラベルプリンタを提案している。
【００１１】
この発明によれば、所定の値以上の衝撃や振動を検出したときに、ラベルの発行を停止させる。つまり、所定の値以上の衝撃や振動がラベルプリンタに加わった場合には、電子部品の脱落等、そのまま動作をさせると、機器の発熱等の重大な症状を引き起こす可能性があるため、ラベルの発行を停止してラベルプリンタを保護する。
【００１２】
（３）本発明は、（１）または（２）のラベルプリンタについて、電気回路の動作が正常か否かを検証する検証手段（例えば、図２の異常動作検出部９５に相当）を備え、前記検出手段が所定の値以上の衝撃や振動を検出したときに、前記検証手段が作動することを特徴とするラベルプリンタを提案している。
【００１３】
この発明によれば、所定の値以上の衝撃や振動を検出したときに、電気回路の動作が正常か否かを検証する。つまり、所定の値以上の衝撃や振動がラベルプリンタに加わった場合には、電子部品の脱落等によって電気回路が正常に動作しない可能性がある。また、このような電気回路の動作チェックを行わずに使用した場合には、機器の発熱等の重大な症状を引き起こす可能性がある。しかしながら、所定の値以上の衝撃や振動を検出したときに、電気回路の動作が正常か否かを検証すれば、機器を分解することなく、電子部品の脱落等を確認でき、機器の発熱等の重大な症状の発生を未然に防止することができる。
【００１４】
（４）本発明は、（１）から（３）のラベルプリンタについて、前記検出手段が、衝撃や振動を検知した場合に、その度合いを保持する記憶手段（例えば、図２のＲＡＭ４８に相当）を備えたことを特徴とするラベルプリンタを提案している。
【００１５】
この発明によれば、衝撃や振動を検知した場合に、その度合いを保持する。つまり、過去における衝撃や振動の度合いを保持することにより、過去の使用状態を把握できるため、保守点検の際に有用な情報を得ることができる。
【００１６】
（５）本発明は、（１）から（３）のラベルプリンタについて、前記所定の値が予め定められた規格値であることを特徴とするラベルプリンタを提案している。
【００１７】
この発明によれば、所定の値が予め定められた規格値である。したがって、予め定められた規格値を超える程度の衝撃や振動をラベルプリンタが受けた場合に、その旨を的確に把握することができる。
【００１８】
（６）本発明は、（１）から（３）のラベルプリンタについて、前記所定の値が前記記憶手段に保持された履歴情報の最大値であることを特徴とするラベルプリンタを提案している。
【００１９】
この発明によれば、所定の値が保持された履歴情報の最大値である。つまり、予め定められた規格値以下の衝撃や振動をラベルプリンタが受けた場合でも、ラベルプリンタに何らかの不良が発生する可能性がある。したがって、保持された履歴情報の最大値に相当する衝撃や振動をラベルプリンタが受けた場合に、その旨を報知することにより、不良の有無を早期に発見することができる。
【００２０】
（７）本発明は、（１）から（６）のラベルプリンタについて、前記加速度センサが、回路基板に実装可能であることを特徴とするラベルプリンタを提案している。
【００２１】
この発明によれば、加速度センサが、回路基板に実装可能である。つまり、ラベルプリンタの動作に最も重大な影響を及ぼすと考えられる電気回路に加わった衝撃や振動を的確に把握するために、加速度センサは、回路基板に実装可能であることが好ましい。
【００２２】
（８）本発明は、（７）のラベルプリンタについて、前記加速度センサが、ＭＥＭＳ加速度センサであることを特徴とするラベルプリンタを提案している。
【００２３】
この発明によれば、加速度センサが、ＭＥＭＳ加速度センサである。つまり、ＭＥＭＳ加速度センサは、回路基板に実装可能な小型の電子部品であることから、電気回路に加わった衝撃や振動を的確に把握するために好適な加速度センサである。
【００２４】
（９）本発明は、（１）から（８）のラベルプリンタについて、前記ラベルプリンタが携帯型ラベルプリンタであることを特徴とするラベルプリンタを提案している。
【００２５】
この発明によれば、ラベルプリンタが携帯型ラベルプリンタである。つまり、携帯型ラベルプリンタの場合には、作業者に携帯されて使用されるため、固定型のラベルプリンタに比べて、気がつかないうちに、ラベルプリンタに衝撃や振動が加わる可能性が高い。したがって、携帯型ラベルプリンタに加速度センサを搭載することにより、作業員が気付かなかったラベルプリンタに加わった衝撃や振動を検出し、保守点検時に、この情報を利用して適切な対応を行うことができる。
【００２６】
（１０）本発明は、所定の情報をラベルに印字するラベルプリンタにおける衝撃や振動による異常検出方法であって、加速度センサにより加速度を検出する第１のステップ（例えば、図５のステップＳ１０１に相当）と、該加速度を検出したときに、その日付と検出値とを記憶する第２のステップ（例えば、図５のステップＳ１０２に相当）と、該検出値が規格の範囲外である場合に電気回路の動作を検証する第３のステップ（例えば、図５のステップＳ１０３、ステップＳ１０４に相当）と、該電気回路の動作に異常がある場合にその旨を報知する第４のステップ（例えば、図５のステップＳ１０５、ステップＳ１０６に相当）と、を備えたことを特徴とする異常検出方法を提案している。
【００２７】
この発明によれば、加速度センサにより加速度を検出し、加速度を検出したときに、その日付と検出値とを記憶する。そして、検出値が規格の範囲外である場合に電気回路の動作を検証し、電気回路の動作に異常がある場合にその旨を報知する。したがって、従来は認知することができなかった規格値以上の衝撃や振動がラベルプリンタに加わったことを的確に認知することができる。また、規格値以上の衝撃や振動を検出したときに、電気回路の動作が正常か否かを検証することにより、機器を分解することなく、電子部品の脱落等を確認でき、機器の発熱等の重大な症状の発生を未然に防止することができる。さらに、過去における衝撃や振動の度合いを保持することにより、過去の使用状態を把握できるため、保守点検の際に有用な情報を得ることができる。
【００２８】
（１１）本発明は、所定の情報をラベルに印字するラベルプリンタにおける衝撃や振動による異常検出方法であって、加速度センサにより加速度を検出する第１のステップ（例えば、図８のステップＳ２０１に相当）と、該加速度を検出したときに、その日付と検出値とを記憶する第２のステップ（例えば、図８のステップＳ２０２に相当）と、該検出値が記憶された履歴情報の最大値である場合に電気回路の動作を検証する第３のステップ（例えば、図８のステップＳ２０３、ステップＳ２０４に相当）と、該電気回路の動作に異常がある場合にその旨を報知する第４のステップ（例えば、図８のステップＳ２０５、ステップＳ２０６に相当）と、を備えたことを特徴とする異常検出方法を提案している。
【００２９】
この発明によれば、加速度センサにより加速度を検出し、加速度を検出したときに、その日付と検出値とを記憶する。そして、検出値が記憶された履歴情報の最大値である場合に電気回路の動作を検証し、電気回路の動作に異常がある場合にその旨を報知する。したがって、規格値の範囲内であっても、記憶された履歴情報の最大値の衝撃や振動がラベルプリンタに加わったことを的確に認知することができる。また、規格値の範囲内であっても、記憶された履歴情報の最大値の衝撃や振動を検出したときに、電気回路の動作が正常か否かを検証することにより、機器を分解することなく、電子部品の脱落等を確認でき、機器の発熱等の重大な症状の発生を未然に防止することができる。さらに、過去における衝撃や振動の度合いを保持することにより、過去の使用状態を把握できるため、保守点検の際に有用な情報を得ることができる。
【発明の効果】
【００３０】
本発明によれば、加速度センサを設けることにより、落下による衝撃や振動の度合いを検出し、所定の値以上の衝撃や振動を検出したときに、その旨を報知することにより、その旨を的確に認知することができるという効果がある。
【００３１】
また、所定の値以上の衝撃や振動を検出したときに、電気回路の動作が正常か否かを検証することにより、機器を分解することなく、電子部品の脱落等を確認でき、機器の発熱等の重大な症状の発生を未然に防止することができるという効果がある。さらに、過去における衝撃や振動の度合いを保持することにより、過去の使用状態を把握できるため、保守点検の際に有用な情報を得ることができるという効果がある。
【図面の簡単な説明】
【００３２】
【図１】本発明に係る携帯型ラベルプリンタの概略斜視図である。
【図２】第１の実施形態に係るラベルプリンタの電気的構成を示す図である。
【図３】第１の実施形態に係る加速度センサの内部構成を示す図である。
【図４】第１の実施形態に係る落下検出部の内部構成を示す図である。
【図５】第１の実施形態に係るラベルプリンタの処理フローである。
【図６】第１の実施形態に係るラベルプリンタの電気的構成を示す図である。
【図７】第２の実施形態に係る落下検出部の内部構成を示す図である。
【図８】第２の実施形態に係るラベルプリンタの処理フローである。
【発明を実施するための形態】
【００３３】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３４】
＜第１の実施形態＞
図１から図５を用いて、本発明の第１の実施形態について説明する。なお、本実施形態では、ラベルプリンタとして携帯型ラベルプリンタを例示して説明するが、本発明は、これに限定されるものではなく、例えば、固定型のラベルプリンタ等においても適用することができる。
【００３５】
＜ラベルプリンタの外観構成＞
図１に示すように、ラベルプリンタ１０の外装ケース１２は、ケース本体１４とフロントカバー１６とで構成されている。
【００３６】
また、ケース本体１４は、その正面に開口部を有しており、この開口部を覆うようにフロントカバー１６が取付けられている。さらに、ケース本体１４の両側面には軟質樹脂で形成されたサイドカバー１８が取り付けられている。また、ケース本体１４とフロントカバー１６との境目には、取出口２０が形成されている。なお、本ラベルプリンタには、肩掛け用ベルト２２が備えられており、この肩掛け用ベルト２２により、作業者がラベルプリンタ１０を持ち運ぶことができる。
【００３７】
また、上記のように構成された外装ケース１２の内部に、後述する印字部や給紙部、制御部等の印字に必要な各部が内蔵される。さらに、内部には、電子部品等で実装された基板１００が内蔵され、この基板１００に加速度センサ８０が実装されている。なお、加速度センサ８０は、ラベルプリンタの落下により基板１００が受ける衝撃や振動を検出するため、小型で基板実装が可能なＭＥＭＳ加速度センサ等が好ましい。
【００３８】
＜ラベルプリンタの電気的構成＞
図２に示すように、ラベルプリンタ１０の内部は、制御部３４と、搬送モータ３６と、印字ヘッド３２と、位置検出センサ４２と、加速度センサ８０とから構成され、その外部には、入力部６８と、モニタ７０とが設けられている。
【００３９】
また、制御部３４は、ＣＰＵ４６と、ＲＯＭ４４と、ＲＡＭ４８と、モータ制御部５０と、ヘッド制御部５２と、位置センサ制御部５４と、外部インタフェース６０と、インタフェース６２と、電源部６４と、落下検出部９０と、異常動作検出部９５とから構成されている。
【００４０】
ここで、ＣＰＵ（ｃｅｎｔｒａｌ ｐｒｏｃｅｓｓｉｎｇ ｕｎｉｔ）４６は、ＲＯＭ４４に記憶されている制御プログラムに従って動作し、ラベルプリンタ１０の各部を制御する。ＲＯＭ（ｒｅａｄｏｎｌｙ ｍｅｍｏｒｙ）４４は、所定の制御プログラムを記憶する書き換え不能な記憶素子である。ＲＡＭ（ｒａｎｄｏｍ ａｃｃｅｓｓ ｍｅｍｏｒｙ）４８は、ＣＰＵ４６が動作する上で必要となる各種データを記憶する書き換え可能な記憶素子であり、本発明においては、落下や衝突等があった場合に、その日付と衝撃レベルおよび振動レベルを関連付けて記憶する。
【００４１】
モータ制御部５０は、搬送モータ３６にパルス信号を供給し、回転の制御を行う。ヘッド制御部５２は、ＣＰＵ４６から供給される印字すべき文字、図形及びバーコード等の印字データに対応する制御信号を生成し、生成した制御信号を印字ヘッド３２に供給して、印字動作を制御する。
【００４２】
位置センサ制御部５４は、ＣＰＵ４６の制御の下、位置検出センサ４２の発光部を制御し、光を照射させると共に、受光部から出力される電気信号を受け取り、ディジタルデータに変換して、ＣＰＵ４６に供給する。落下検出部９０は、加速度センサ８０の出力信号に基づいて、ラベルプリンタ１０の落下や衝突に伴う振動や衝撃の度合いを検出する。異常動作検出部９５は、落下検出部９０において規格値以上の振動や衝撃を検出したときに、所定の検査プログラムにしたがって、電気回路各部を動作させて、電気回路に異常があるか否かを検出する。
【００４３】
入力部６８は、外部から各種データを入力する。入力部６８より入力された入力データは、インタフェース６２を介してＣＰＵ４６に供給される。モニタ７０は、用紙切れ（ペーパーエンド）や通信エラー等の情報はもとより、異常動作検出部９５が動作の異常を検出した場合にその旨を表示して作業者に知らせる。また、外部インタフェース６０を介して、外部に接続された図示せぬ機器との間で各種データの送受信を行うことができるように構成されている。
【００４４】
＜加速度センサの内部構成＞
図３に示すように、本実施形態に係る加速度センサ８０は、加速度検出部８１と、信号処理部８２と、衝撃検出部８３と、振動検出部８４とから構成されている。
【００４５】
加速度検出部８１は、落下や衝突等に伴う加速度を検出し、これに対応した信号を出力する。信号処理部８２は、加速度検出部８１が出力する信号を増幅、調整して加速度に応じた直流電圧を出力する。
【００４６】
衝撃検出部８３は、信号処理部８２が出力する直流電圧信号に基づいて、衝撃の度合いに応じた直流電圧信号を出力する。振動検出部８４は、信号処理部８２が出力する直流電圧信号に基づいて、振動の度合いに応じた直流電圧信号を出力する。衝撃や振動は、３次元で検出することができる。
【００４７】
＜落下検出部の内部構成＞
図４に示すように、本実施形態に係る落下検出部９０は、コンパレータ９１、９２と、ＯＲ回路９３とから構成されている。
【００４８】
コンパレータ９１は、正端子に衝撃検出部８３からの出力信号を、負端子に衝撃規格値に相当する基準電圧が入力され、衝撃検出部８３からの出力信号レベルが衝撃規格値に相当する基準電圧よりも高い場合に、「Ｈｉ」レベルの信号を出力する。
【００４９】
コンパレータ９２は、正端子に振動検出部８４からの出力信号を、負端子に振動規格値に相当する基準電圧が入力され、振動検出部８４からの出力信号レベルが振動規格値に相当する基準電圧よりも高い場合に、「Ｈｉ」レベルの信号を出力する。
【００５０】
ＯＲ回路９３は、コンパレータ９１、コンパレータ９２からの出力信号を入力し、いずれか一方から「Ｈｉ」レベルの信号を入力した場合に、「Ｈｉ」レベルの信号を異常動作検出部９５に出力する。ＯＲ回路９３が「Ｈｉ」レベルの信号を出力することにより、異常動作検出部９５が起動状態となる。
【００５１】
＜ラベルプリンタの処理＞
図５を用いて、ラベルプリンタの処理について説明する。
まず、加速度センサ８０により、加速度を検出すると（ステップＳ１０１）、日付と検出した値とをＲＡＭ４８の所定領域に保存する（ステップＳ１０２）。次に、落下検出部９０により、加速度センサ８０が検出した値が動作規格範囲内の値であるか否かが検出される（ステップＳ１０３）。
【００５２】
そして、加速度センサ８０が検出した値が動作規格範囲内の値でない場合（ステップＳ１０３の「Ｎｏ」）には、異常動作検出部９５により、回路各部のセルフチェックを実施し（ステップＳ１０４）、異常が認められる場合（ステップＳ１０５の「Ｙｅｓ」）には、モニタ７０にアラーム表示を行う（ステップＳ１０６）。
【００５３】
一方、異常動作検出部９５による回路各部のセルフチェックの結果、異常が認められない場合（ステップＳ１０５の「Ｙｅｓ」）には、処理動作を終了する。また、加速度センサ８０が検出した値が動作規格範囲内の値である場合（ステップＳ１０３の「Ｙｅｓ」）には、ステップＳ１０１に戻って待機する。
【００５４】
以上、説明したように、本実施形態によれば、従来は認知することができなかった規格値以上の衝撃や振動がラベルプリンタに加わったことを的確に認知することができる。また、規格値以上の衝撃や振動を検出したときに、電気回路の動作が正常か否かを検証することにより、機器を分解することなく、電子部品の脱落等を確認でき、機器の発熱等の重大な症状の発生を未然に防止することができる。さらに、過去における衝撃や振動の度合いを保持することにより、過去の使用状態を把握できるため、保守点検の際に有用な情報を得ることができる。
【００５５】
＜第２の実施形態＞
図６から図８を用いて、本発明の第２の実施形態について説明する。なお、第１の実施形態と同一の符号を付す構成要素については、同様の機能を有することから、その詳細な説明は省略する。
【００５６】
第１の実施形態においては、加速度センサが検出した値が動作規格範囲を超えている場合に、異常動作検出部が、回路各部のセルフチェックを実施する例について説明したが、本実施形態では、加速度センサが検出した値が記憶された履歴情報の最大値である場合に、異常動作検出部が、回路各部のセルフチェックを実施する点において特徴を有する。これは、予め定められた規格値以下の衝撃や振動をラベルプリンタが受けた場合でも、ラベルプリンタに何らかの不良が発生する可能性があるためである。
【００５７】
そのため、落下検出部９４は、図７に示すように、コンパレータ９１、９２と、ＯＲ回路９３とから構成され、コンパレータ９１は、正端子に衝撃検出部８３からの出力信号を、負端子に保存最大衝撃値に相当する基準電圧が入力され、衝撃検出部８３からの出力信号レベルが保存最大衝撃値に相当する基準電圧よりも高い場合に、「Ｈｉ」レベルの信号を出力する。
【００５８】
一方で、コンパレータ９２は、正端子に振動検出部８４からの出力信号を、負端子に保存最大振動値に相当する基準電圧が入力され、振動検出部８４からの出力信号レベルが保存最大振動値に相当する基準電圧よりも高い場合に、「Ｈｉ」レベルの信号を出力する。
【００５９】
そして、ＯＲ回路９３は、コンパレータ９１、コンパレータ９２からの出力信号を入力し、いずれか一方から「Ｈｉ」レベルの信号を入力した場合に、「Ｈｉ」レベルの信号を異常動作検出部９５に出力する。ＯＲ回路９３が「Ｈｉ」レベルの信号を出力することにより、異常動作検出部９５が起動状態となる。
【００６０】
＜ラベルプリンタの処理＞
図８を用いて、ラベルプリンタの処理について説明する。
まず、加速度センサ８０により、加速度を検出すると（ステップＳ２０１）、日付と検出した値とをＲＡＭ４８の所定領域に保存する（ステップＳ２０２）。次に、落下検出部９４により、加速度センサ８０が検出した値が今までの最大値であるか否かが検出される（ステップＳ２０３）。
【００６１】
そして、加速度センサ８０が検出した値が今までの最大値である場合（ステップＳ２０３の「Ｙｅｓ」）には、異常動作検出部９５により、回路各部のセルフチェックを実施し（ステップＳ２０４）、異常が認められる場合（ステップＳ２０５の「Ｙｅｓ」）には、モニタ７０にアラーム表示を行う（ステップＳ２０６）。
【００６２】
一方、異常動作検出部９５による回路各部のセルフチェックの結果、異常が認められない場合（ステップＳ２０５の「Ｙｅｓ」）には、処理動作を終了する。また、加速度センサ８０が検出した値が今までの最大値でない場合（ステップＳ２０３の「Ｎｏ」）には、ステップＳ２０１に戻って待機する。
【００６３】
以上、説明したように、本実施形態によれば、保持された履歴情報の最大値に相当する衝撃や振動をラベルプリンタが受けた場合に、その旨を報知することにより、不良の有無を早期に発見することができる。
【００６４】
以上、この発明の実施形態につき、図面を参照して詳述してきたが、具体的な構成はこの実施形態に限られるものではなく、この発明の要旨を逸脱しない範囲の設計等も含まれる。例えば、第１および第２の実施形態では、所定値以上の衝撃や振動が加わったときに、動作に異常があるか否かを検出する処理を行っていたが、ラベルプリンタの安全性を保持するために、所定値以上の衝撃や振動が加わったときには、ラベルの発行を即座に停止してもよい。
【符号の説明】
【００６５】
１０；携帯プリンタ
１２；外装ケース
１４；ケース本体
１６；フロントカバー
１８；サイドカバー
２０；取出口
２２；肩掛け用ベルト
３２；印字ヘッド
３４；制御部
３６；搬送モータ
４２；位置検出センサ
４４；ＲＯＭ
４６；ＣＰＵ
４８；ＲＡＭ
５０；モータ制御部
５２；ヘッド制御部
５４；位置センサ制御部
６０；外部インタフェース
６２；インタフェース
６４；電源部（バッテリー）
６８；入力部
７０；モニタ
８０；加速度センサ
８１；加速度検出部
８２；信号処理部
８３；衝撃検出部
８４；振動検出部
９０；落下検出部
９１；コンパレータ
９２；コンパレータ
９３；ＯＲ回路
９４；落下検出部
９５；異常動作検出部
【図１】
0005628540.tif 000002
【図２】
0005628540.tif 000003
【図３】
0005628540.tif 000004
【図４】
0005628540.tif 000005
【図５】
0005628540.tif 000006
【図６】
0005628540.tif 000007
【図７】
0005628540.tif 000008
【図８】
0005628540.tif 000009